(57)【要約】【課題】既設の屋根材固定ボルトが錆びていても、簡単な取付作業で確実かつ強固に取付固定できる屋根補修用金具と、これを用いた屋根補修構造を提供する。【解決手段】ボルト挿通孔２ｅと複数のネジ挿通孔２ｆを有する支持金具２と、開口３ｂと複数のネジ孔３ｃを有し且つ開口３ｂの口縁から中心部上方に向かって斜めに突き出す複数のかしめ片３ｄを形成した座金３と、複数本の座金引き上げ用ネジ５とを具備した屋根補修用金具１とする。座金３の開口３ｂと支持金具２のボルト挿通孔２ｅに既設の屋根材固定ボルト６を挿通し、座金引き上げ用ネジ５を支持金具２のネジ挿通孔２ｆから座金３のネジ孔２fにねじ込んで座金３を引き上げることにより、かしめ片３ｄを開口３ｂの中心部の方へかしめ、かしめ片３ｄの先端で屋根材固定ボルト６を外側から押圧して強固に取付ける。屋根補修構造は、屋根補修用金具に母屋材を取付けて屋根材を張付けたものである。【選択図】図１
2008163623.tif 000002
【特許請求の範囲】
【請求項１】
既設の波形屋根材の上に新たな屋根材を張り付けるための母屋材を支持する屋根補修用金具であって、
既設の波形屋根材から上方へ突出している屋根材固定ボルトを挿通するボルト挿通孔と座金引き上げ用ネジを挿通する複数のネジ挿通孔が形成された凹部を有する母屋材支持面と、この母屋材支持面の両端から下方へ折り曲げられて形成された一対の支持脚部とからなる支持金具と、
屋根材固定ボルトを挿通する開口と座金引き上げ用ネジをねじ込む複数のネジ孔が形成され、開口の口縁部から中心部上方に向かって斜めに突き出す複数のかしめ片が、屋根材固定ボルトのネジ山径よりもわずかに大きいかしめ片先端間の間隔を有するように形成された座金と、
支持金具のネジ挿通孔から座金のネジ孔にねじ込んで座金を引き上げる複数本の座金引き上げ用ネジと、
を具備したことを特徴とする屋根補修用金具。
【請求項２】
支持金具と座金との間に介在される副座金であって、屋根材固定ボルトを挿通する開口の口縁部から中心部上方に向かって斜めに突き出す複数のかしめ片が、屋根材固定ボルトのネジ山径よりもわずかに大きいかしめ片先端間の間隔を有するように形成された副座金を、更に具備した請求項１に記載の屋根補修用金具。
【請求項３】
開口の口縁部から中心部上方に向かって４つのかしめ片が斜めに突き出している請求項１又は請求項２に記載の屋根補修用金具。
【請求項４】
かしめ片の先端側の傾斜角が徐々に小さくなるように、かしめ片の先端側が湾曲している請求項１ないし請求項３のいずれかに記載の屋根補修用金具。
【請求項５】
請求項１に記載の屋根補修用金具を用いた屋根補修構造であって、座金の開口に既設の波形屋根材から上方へ突出している屋根材固定ボルトが挿通され、その上から被せられた支持金具のボルト挿通孔に屋根材固定ボルトが挿通されると共に、支持金具の支持脚部が既設の波形屋根材の谷部に載置され、支持金具の複数のネジ挿通孔から座金の複数のネジ孔にそれぞれねじ込まれた複数本の座金引き上げ用ネジによって引き上げられた座金の複数のかしめ片が、支持金具の凹部の下面に圧接して座金の開口の中心部の方にかしめられ、各かしめ片の先端が屋根材固定ボルトを外側から押圧することで屋根補修用金具が取付固定されており、この屋根補修用金具の支持金具の母屋材支持面に、新たな屋根材を張り付けるための母屋材が取付けられていることを特徴とする屋根補修構造。
【請求項６】
請求項２に記載の副座金が支持金具と座金との間に介在されて、屋根材固定ボルトが副座金の開口に挿通され、副座金の複数のかしめ片も開口の中心部の方にかしめられて、各かしめ片の先端が屋根材固定ボルトを外側から押圧している請求項５に記載の屋根補修構造。
【発明の詳細な説明】
【技術分野】
【０００１】
本発明は、老朽化が進んだ工場などの波形屋根材の上に新たな屋根材を張り付けるための屋根補修用金具と、この金具を用いた屋根補修構造に関する。
【背景技術】
【０００２】
戦後、工場などの建物の屋根材として、安価で耐火性、耐水性、耐久性に優れる、石綿にセメントを混ぜ込んだ波形スレート板などが使用されてきたが、それらの老朽化に伴い雨漏りなどの補修を行う必要が生じてきた。既存の波形スレート板を張り替える補修は、工場の業務を停止して行う必要があるため、通常は、既存の波形スレート板をそのまま残して、その上に新たに波板や折版などの屋根材を張り付ける補修方法が採用されている。
【０００３】
周知のように、波形スレート板には人体に悪影響を及ぼすアスベストが含有されており、波形スレート板を切断したり孔を開けたりする必要がある補修方法は、粉塵が工場内に飛散、落下する恐れがあるので好ましくない。このような事情から、既設の波形スレート板の山部を覆う座面部と、該座面部の左右両端から下方へ延びる脚部を一体に備え、該座面部の左右中間部に段差を設けて高段座面部と下段座面部を形成すると共に、下段座面部に貫通孔を設けたクランプ金具を使用し、このクランプ金具を既設の波形スレート板にその山部を跨ぐように設置して、該山部から突出する既設のフックボルトの上端を下段座面部の貫通孔に挿入し、リング状で内周から複数の板バネの爪が中心方向へ突出する板バネナットをフックボルトに嵌め込んで爪の先端をフックボルトのネジ溝に係止させることにより、クランプ金具を波形スレート板に固定し、その高段座面部に屋根下地材を架設して金属製の屋根板を取付ける屋根補修工法が既に提案されている（特許文献１）。
【特許文献１】特開２００４−１００２３９号公報
【発明の開示】
【発明が解決しようとする課題】
【０００４】
しかしながら、上記特許文献１の屋根補修工法は、板バネナットをフックボルトに嵌め込んで爪の先端をフックボルトのネジ溝に係止させることにより、板バネナットでクランプ金具を押圧固定しているため、例えば、フックボルトが錆びてネジ山やネジ溝がつぶれかけているような場合には、板バネナットの爪をネジ溝に確実に係止させてクランプ金具を強固に固定することが難しい。そのため、新しい屋根板に風圧等が作用すると、クランプ金具がガタついたり、最悪の場合には、クランプ金具がフックボルトから外れて屋根板が捲れるという問題があった。
【０００５】
本発明は上記事情の下になされたもので、その解決しようとする課題は、フックボルト等の既設の屋根材固定ボルトが錆びていても、簡単な取付作業で確実かつ強固に取付固定することができる屋根補修用金具と、この金具を用いた屋根補修構造を提供することにある。
【課題を解決するための手段】
【０００６】
上記課題を解決するため、本発明に係る屋根補修用金具は、既設の波形屋根材の上に新たな屋根材を張り付けるための母屋材を支持する屋根補修用金具であって、（１）既設の波形屋根材から上方へ突出している屋根材固定ボルトを挿通するボルト挿通孔と座金引き上げ用ネジを挿通する複数のネジ挿通孔が形成された凹部を有する母屋材支持面と、この母屋材支持面の両端から下方へ折り曲げられて形成された一対の支持脚部とからなる支持金具と、（２）屋根材固定ボルトを挿通する開口と座金引き上げ用ネジをねじ込む複数のネジ孔が形成され、開口の口縁部から中心部上方に向かって斜めに突き出す複数のかしめ片が、屋根材固定ボルトのネジ山径よりもわずかに大きいかしめ片先端間の間隔を有するように形成された座金と、（３）支持金具のネジ挿通孔から座金のネジ孔にねじ込んで座金を引き上げる複数本の座金引き上げ用ネジと、を具備したことを特徴とするものである。
【０００７】
本発明の屋根補修用金具においては、支持金具と座金との間に介在される副座金であって、屋根材固定ボルトを挿通する開口の口縁部から中心部上方に向かって斜めに突き出す複数のかしめ片が、屋根材固定ボルトのネジ山径よりもわずかに大きいかしめ片先端間の間隔を有するように形成された副座金を、更に具備していることが好ましい。そして、開口の口縁部から中心部上方に向かって４つのかしめ片が斜めに突き出していること、及び、かしめ片の先端側の傾斜角が徐々に小さくなるように、かしめ片の先端側が湾曲していることが好ましい。
【０００８】
また、本発明に係る屋根補修構造は、上記の本発明の屋根補修用金具を用いた屋根補修構造であって、座金の開口に既設の波形屋根材から上方へ突出している屋根材固定ボルトが挿通され、その上から被せられた支持金具のボルト挿通孔に屋根材固定ボルトが挿通されると共に、支持金具の支持脚部が既設の波形屋根材の谷部に載置され、支持金具の複数のネジ挿通孔から座金の複数のネジ孔にそれぞれねじ込まれた複数本の座金引き上げ用ネジによって引き上げられた座金の複数のかしめ片が、支持金具の凹部の下面に圧接して座金の開口の中心部の方にかしめられ、各かしめ片の先端が屋根材固定ボルトを外側から押圧することで屋根補修用金具が取付固定されており、この屋根補修用金具の支持金具の母屋材支持面に、新たな屋根材を張り付けるための母屋材が取付けられていることを特徴とするものである。
【０００９】
本発明の屋根補修構造においては、前記の副座金が支持金具と座金との間に介在されて、屋根材固定ボルトが副座金の開口に挿通され、副座金の複数のかしめ片も開口の中心部の方にかしめられて、各かしめ片の先端が屋根材固定ボルトを外側から押圧していることが好ましい。
【発明の効果】
【００１０】
本発明の屋根補修用金具は、次の要領で取付固定されて使用される。即ち、既設の波形屋根材から上方へ突出している屋根材固定ボルトを座金の開口に挿通し、その上から支持金具を被せてそのボルト挿通孔に屋根材固定ボルトを挿通すると共に、支持金具の支持脚部を既設の波形屋根材の谷部に載置する。そして、支持金具の複数のネジ挿通孔から座金の複数のネジ孔に複数本の座金引き上げ用ネジをそれぞれねじ込んで座金を引き上げ、座金の複数のかしめ片を支持金具の凹部の下面に圧接させて座金の開口の中心部の方にかしめることにより、各かしめ片の先端を屋根材固定ボルトに外側から押圧させて強固に屋根補修用金具を取付固定し、この屋根補修用金具の支持金具の母屋材支持面に、新たな屋根材を張り付けるための母屋材を取付ける。
【００１１】
このように、本発明の屋根補修用金具は、座金の各かしめ片を開口の中心部の方にかしめて既設の屋根材固定ボルトを外側から押圧して取付けるため、屋根材固定ボルトが錆びてネジ山やネジ溝がつぶれかけているような場合でも、確実かつ強固に取付けることができ、支持金具の母屋材支持面に母屋材を介して取付けられた新たな屋根材に風圧等が作用しても、屋根補修用金具がガタついたり、屋根材固定ボルトから外れたりする心配を解消することができる。しかも、本発明の屋根補修用金具は、座金引き上げ用ネジを座金のネジ孔にねじ込むだけで極く簡単に取付けることができ、座金引き上げ用ネジをねじ込めばねじ込むほど、座金のかしめ片が開口の中心部の方へ大きくかしめられて屋根材固定ボルトを強く押圧し、強固に取付固定される利点がある。
【００１２】
そして、前記の副座金を更に具備した屋根補修用金具は、座金のかしめ片に加えて、この副座金のかしめ片も開口の中心部の方へかしめられて屋根材固定ボルトを外側から強く押圧するので、固定強度が更に向上する利点がある。
【００１３】
また、座金や副座金の開口の口縁部から中心部上方に向かって４つのかしめ片が斜めに突き出している屋根補修用金具は、２つ又は３つのかしめ片が突き出したものよりも、容易にかしめ片をかしめることができ、しかも、５つ以上のかしめ片が突き出したものよりも、強く屋根材固定ボルトを押圧できる利点がある。  
【００１４】
更に、かしめ片の先端側の傾斜角が徐々に小さくなるように、かしめ片の先端側が湾曲している屋根補修用金具は、かしめ片の先端が屋根材固定ボルトを略直角に押圧するため、取付強度を一層向上させることができる。
【００１５】
そして、本発明の屋根補修用金具を前記の要領で取付けて、その支持金具の母屋材支持面に新たな屋根材を張り付けるための母屋材を取付けた本発明の屋根補修構造は、既述したように屋根補修用金具の取付強度が大きいため、母屋材に張り付ける新たな屋根材に風圧等が作用しても、屋根補修用金具がガタついたり、屋根補修用金具が屋根材固定ボルトからはずれて新たな屋根材が捲れたりする心配が解消され、また、屋根補修用金具の取付作業が容易であるから施工性も向上するといった利点がある。
【発明を実施するための最良の形態】
【００１６】
以下、図面を参照して本発明の具体的な実施形態を詳述する。
【００１７】
図１は本発明の一実施形態に係る屋根補修用金具の分解斜視図、図２は座金引き上げネジをねじ込む前の同屋根補修用金具の取付状態を示す断面図、図３は同屋根補修用金具を用いた本発明の屋根補修構造を示す断面図である。
【００１８】
この屋根補修用金具１は、図３に示すように、既設の波形スレート板などの波形屋根材７の上に新たな屋根材８を張り付けるための母屋材９を取付けるものであって、図１に示すように、支持金具２と、座金３と、副座金４と、２本の座金引き上げ用ネジ５，５とで構成されている。
【００１９】
支持金具２は、図１，図３に示すように、母屋材９を支持する母屋材支持面２ａと、既設の波形屋根材７の山部７ａを跨いでその両側の谷部７ｂ，７ｂに載置される左右の支持脚部２ｂ，２ｂを一体に形成したもので、この支持脚部２ｂ，２ｂの下端は内側斜め上方に折り返されて位置決め片２ｃ，２ｃが形成されている。従って、この支持金具２の支持脚部２ｂ，２ｂを波形屋根材７の谷部７ｂ，７ｂに載置すると、位置決め片２ｃ，２ｃが波形屋根材７の斜面に当接して、支持金具２が左右に動かないように位置決めされるようになっている。
【００２０】
この支持金具２の母屋材支持面２ａの中央には横長の凹部２ｄが形成されており、この凹部２ｄの中心には、既設の波形屋根材７から突出している屋根材固定ボルト６を挿通するボルト挿通孔２ｅが形成されている。そして、この凹部２ｄのボルト挿通孔２ｅを挟んで両側には、座金引き上げ用ネジ５，５を挿通する２つのネジ挿通孔２ｆ，２ｆが形成されており、凹部２ｄの深さは、座金引き上げ用ネジ５，５の頭部や屋根材固定ボルト６の上端が突き出さない深さとされている。
【００２１】
この支持金具２は、金属板をプレス加工及び曲げ加工することで作製されるものであるが、強度のある合成樹脂で作製することも可能である。
【００２２】
座金３は、両側に段差部３ａ，３ａを有する長方形の金属板の中央に、屋根材固定ボルト６を挿通する大径の開口３ｂを形成すると共に、その両側に前記の座金引き上げ用ネジ５，５をねじ込む２つのネジ孔３ｃ，３ｃを形成したものであり、上記の開口３ｂには、その口縁部から中心部上方に向かって斜めに突き出す４つのかしめ片３ｄが形成されている。尚、座金３のネジ孔３ｃや前記支持金具２のネジ挿通孔２ｆの個数は２つに限定されるものではなく、２つ以上、例えば４つのネジ挿通孔２ｆを座金３の四隅に形成すると共に、これに対応して４つのネジ挿通孔２ｆを支持金具２の凹部２ｄの四隅に形成してもよい。
【００２３】
これらのかしめ片３ｃの相対向する先端間の間隔は、屋根材固定ボルト６のネジ山径よりもわずかに大きく設定されており、屋根材固定ボルト６がこれらのかしめ片３ｃの先端間に遊挿できるようになっている。また、図２，図３に示すように、これらのかしめ片３ｃの先端側は、その傾斜角が徐々に小さくなるように湾曲しており、後述するように、かしめ片３ｄが開口３ｂの中心部の方にかしめられると、かしめ片３ｄの先端が屋根材固定ボルト６を略直角に押圧して、取付強度が一層向上するようになっている。かしめ片３ｄの個数は２つ以上であればよいが、この座金３のように４つのかしめ片３ｄが形成されたものは、２つ又は３つのかしめ片が形成されたものよりも、容易にかしめることができ、５つ以上のかしめ片が形成されたものよりも、強く屋根材固定ボルト６を押圧できる利点がある。
【００２４】
また、副座金４は、上記座金３と上記支持金具２の凹部２ｄの下面との間に介在させるものであって、上記座金３の両側の段差部３ａ，３ａに載置される脚片４ａ，４ａを両側に備えた略正方形の金属板の中央に、屋根材固定ボルト６を挿通する大径の開口４ｂが形成されており、この開口４bの口縁部から中心部上方に向かって斜めに突き出す４つのかしめ片４ｃが形成されている。そして、前記の座金３と同様に、かしめ片４ｃの相対向する先端間の間隔が屋根材固定ボルト６のネジ山径よりもわずかに大きく設定されて、屋根材固定ボルト６がこれらのかしめ片４ｃの先端間に遊挿できるようになっており、また、図２，図３に示すように、これらのかしめ片４ｃの先端側は、その傾斜角が徐々に小さくなるように湾曲して、かしめ片４ｃが開口４ｂの中心部の方にかしめられたときに、かしめ片４ｃの先端が屋根材固定ボルト６を略直角に強く押圧するようになっている。図１に示すように、この副座金４の４つのかしめ片４ｃと座金３の４つのかしめ片３ｄは、上下に重なり合わないように、周方向に４５度ずれている。このようにかしめ片４ｃ，３ｄが４５度ずれていると、完全に重なり合っている場合に比べてかしめ易くなり、しかも、屋根材固定ボルト６がかしめ片４ｃ，３ｄの先端によって八方からほぼ均等に押圧されるため、固定強度が一層向上する利点がある。
【００２５】
本発明の屋根補修構造は、上記の支持金具２、座金３、副座金４、座金引き上げ用ネジ５，５からなる本発明の屋根補修用金具１を用いて、次の要領で施工されるものである。即ち、図２に示すように、既設の波形屋根材７から上方へ突出している屋根材固定ボルト６を、座金３の開口３ｂ（かしめ片３ｄの先端間）とその上の副座金４の開口４ｂ（かしめ片４ｃの先端間）に挿通し、更に、その上から支持金具２を被せてそのボルト挿通孔２ｅに屋根材固定ボルト６を挿通すると共に、支持金具２の支持脚部２ｂ，２ｂを既設の波形屋根材７の谷部７ｂに載置する。そして、図３に示すように、支持金具２の２つのネジ挿通孔２ｆ，２ｆから座金３の２つのネジ孔３ｃ，３ｃに２本の座金引き上げ用ネジ５，５をねじ込んで座金３を引き上げ、副座金４の複数のかしめ片４ｃと座金３の複数のかしめ片３ｄを支持金具２の凹部２ｄの下面に圧接させて開口４ｂ，３ｂの中心部の方にかしめることにより、各かしめ片４ｃ，３ｄの先端で屋根材固定ボルト６を外側から略直角に押圧して強固に屋根補修用金具１を取付固定する。そして、この屋根補修用金具１の支持金具２の母屋材支持面２ａに母屋材９を横架して止具（不図示）等で取付固定すると共に、この母屋材９の上に新たな屋根材８を屋根材固定ボルト等で張り付けると、本発明の屋根補修構造が完成する。新たな屋根材９としては、安価で耐久性のある軽量な合成樹脂製の波板等が好適に使用され、母屋材９としては、強度のある長尺の板金等が好適に使用される。
【００２６】
上記のように、この屋根補修用金具１は、座金３と副座金４の各かしめ片３ｄ，４ｃを開口３ｂ，４ｂの中心部の方にかしめて既設の屋根材固定ボルト６を外側から略直角に押圧して取付けるものであるため、屋根材固定ボルト６が錆びてネジ山やネジ溝がつぶれかけているような場合でも、確実かつ強固に屋根補修用金具１を取付けることができる。しかも、座金引き上げ用ネジ５，５を座金３のネジ孔３ｃ，３ｃにねじ込むだけで極く簡単に取付けることができ、座金引き上げ用ネジ５，５をねじ込めばねじ込むほど、座金３や副座金４のかしめ片３ｄ，４ｃが開口３ｂ，４ｂの中心部の方へ大きくかしめられて屋根材固定ボルト６を強く押圧し、一層強固に取付けることができる。従って、このような屋根補修用金具１を用いた屋根補修構造は、支持金具２の母屋材支持面２ａに母屋材９を介して張り付けられた新たな屋根材８に風圧等が作用しても、屋根補修用金具１がガタついたり、屋根材固定ボルト６から外れたりする心配がなく、施工性も良好である。
【００２７】
尚、上記の副座金４を省略して、支持金具２と、座金３と、座金引き上げ用ネジ５，５とで屋根補修用金具１を構成し、座金３のかしめ片３ｄで屋根材固定ボルト６を外側から押圧して取付固定してもよく、その場合も屋根補修用金具１を強固に取付けることができる。けれども、上記実施形態の屋根補修用金具１のように副座金４を組み込めば、座金３と副座金４の両方のかしめ片３ｄ，４ｃで屋根材固定ボルト６を二重に押圧して、屋根補修用金具１の取付強度を更に高めることができるので、極めて好ましい。
【００２８】
図４は本発明の他の実施形態に係る屋根補修用金具の分解斜視図、図５は同屋根補修用金具を用いた本発明の屋根補修構造を示す横断面図、図６は同屋根補修用金具を用いた本発明の屋根補修構造を示す縦断面図である。
【００２９】
この屋根補修用金具１０も、支持金具２０と、座金３と、副座金４と、２本の座金引き上げ用ネジ５，５とで構成されたものであるが、支持金具２０が前記の支持金具２と異なっている。即ち、この支持金具２０は、母屋材支持面２ａの中心線上に溝形の凹部２ｇが形成されており、この溝形の凹部２ｇの中心に屋根材固定ボルト６を挿通するボルト挿通孔２ｅが穿孔されると共に、その前後に座金引き上げ用ネジ５，５を挿通する２つのネジ挿通孔２ｆ，２ｆが穿孔されている。そして、この支持金具２０の左右の支持脚部２ｂ，２ｂの下端部は外側斜め下方へ折り曲げられて位置決め片２ｈ，２ｈが形成されており、図５に示すように既設の波形屋根材７の山部７ａを跨いでその両側の谷部７ｂ，７ｂに支持金具２０の左右の支持脚部２ｂ，２ｂを載置すると、位置決め片２ｈ，２ｈが波形屋根材７の斜面に当接して、支持金具２０が左右に動かないようになっている。
【００３０】
座金３、副座金４、座金引き上げ用ネジ５，５は、前記の屋根補修用金具１のそれらと同じものであるから、図４、図５、図６において同一部分に同一符号を付して説明を省略する。尚、この屋根補修用金具１０においても、副座金４の省略は可能である。
【００３１】
このような屋根補修用金具１０は、次の要領で強固に取付けられる。即ち、座金３を支持金具２０の凹部２ｇに沿う向きにして、座金３の開口３ｂ（かしめ片３ｄの先端間）に屋根材固定ボルト６を挿通すると共に、その上に副座金４を重ねて屋根材固定ボルト６を副座金４の開口４ｂ（かしめ片４ｃの先端間）に挿通し、更にその上から支持金具１０を被せて屋根材固定ボルト６を支持金具のボルト挿通孔２ｅに挿通する。そして、図６に示すように、支持金具２０の２つのネジ挿通孔２ｆ，２ｆから座金３の２つのネジ孔３ｃ，３ｃに２本の座金引き上げネジ５，５をねじ込んで座金３を引き上げ、副座金４の複数のかしめ片４ｃと座金３の複数のかしめ片３ｄを支持金具２の凹部２ｇの下面に圧接させて開口４ｂ，３ｂの中心部の方にかしめると、各かしめ片４ｃ，３ｄの先端が屋根材固定ボルト６を外側から略直角に押圧し、屋根補修用金具１０が強固に取付けられる。そして、この屋根補修用金具１０の支持金具２の母屋材支持面２ａに母屋材９を横架して止具（不図示）等で固定し、更に、この母屋材９の上に新たな屋根材８を屋根材固定ボルト等で張り付けると、図５，図６に示す屋根補修構造が完成する。
【００３２】
以上のような屋根補修用金具１０を使用した屋根補修構造も、前記の屋根補修用金具１を使用した屋根補修構造と同様の作用効果が得られることは言うまでもない。
【図面の簡単な説明】
【００３３】
【図１】本発明の一実施形態に係る屋根補修用金具の分解斜視図である。
【図２】座金引き上げネジをねじ込む前の同屋根補修用金具の取付状態を示す横断面図である。
【図３】同屋根補修用金具を用いた本発明の屋根補修構造を示す横断面図である。
【図４】本発明の他の実施形態に係る屋根補修用金具の分解斜視図である。
【図５】同屋根補修用金具を用いた本発明の屋根補修構造を示す横断面図である。
【図６】同屋根補修用金具を用いた本発明の屋根補修構造を示す縦断面図である。
【符号の説明】
【００３４】
１、１０  屋根補修用金具
２    支持金具
２ａ  母屋材支持面
２ｂ  支持脚部
２ｄ，２ｇ  凹部
２ｅ  ボルト挿通孔
２ｆ  ネジ挿通孔
３    座金
４    副座金
３ｂ，４ｂ  開口
３ｃ  ネジ孔
３ｄ，４ｃ  かしめ片
４    副座金
５    座金引き上げ用ネジ
６    屋根材固定ボルト
７    既設の波形屋根材
７ａ  山部
７ｂ  谷部
８    新たな屋根材
９    母屋材
【図１】
2008163623.tif 000003
【図２】
2008163623.tif 000004
【図３】
2008163623.tif 000005
【図４】
2008163623.tif 000006
【図５】
2008163623.tif 000007
【図６】
2008163623.tif 000008